(57)【特許請求の範囲】
【請求項１】
固定接点と、この固定接点と接離される可動接点を有する導体板と、この導体板を可動に支持する中央端子と、一端が前記導体板に係止され、他端が前記中央端子に係止された支持板と、前記導体板と前記中央端子との間に屈曲して配設され、前記支持板と協働して前記導体板を前記中央端子に可動に支持する板ばねと、前記導体板を前記板ばねのばね性によりスライド移動方向に対して略垂直な方向へ変位させて前記可動接点を前記固定接点に接離させるスライド部材とを備え、前記支持板は、ばね性を有する板材で撓み可能に形成され、この支持板の一端が前記導体板に固着されると共に、他端が前記中央端子に回動可能に係止され、この係止部を支点として前記導体板が変位可能となるように形成されたスイッチ装置であって、前記支持板が係止される前記中央端子に、係止突部を形成し、且つ、前記支持板には、前記係止突部に挿通される開口部と、この開口部に連設された屈曲片を形成し、前記開口部と屈曲片が前記係止突部に係止されることで前記支持板を前記中央端子に位置規制させ、前記導体板には、前記可動接点をかしめ固着すると共に、前記導体板の前記可動接点の取付部に、前記可動接点を固着することにより前記支持板の一端を前記導体板に固着するようにしたことを特徴とするスイッチ装置。
【請求項２】
前記スライド部材に、傾斜面からなる作動面部を形成し、且つ、前記導体板には、前記作動面部と当接する当接部を形成し、前記スライド部材のスライド移動に伴って、前記作動面部が前記当接部に摺接し、前記導体板をスライド移動方向に対して略垂直な方向へ変位させるようにしたことを特徴とする請求項１記載のスイッチ装置。
【請求項３】
収納部を有し、この収納部の内底面に前記固定接点と前記中央端子が固着されたケースを備え、前記収納部の内底部に、前記固定接点と前記中央端子との間を隔離する隔壁を形成したことを特徴とする請求項１、又は２記載のスイッチ装置。
【請求項４】
前記隔壁には、前記導体板の幅方向への移動を規制する位置規制用の凹溝部を形成したことを特徴とする請求項３記載のスイッチ装置。
【発明の詳細な説明】
【０００１】
【発明の属する技術分野】
本発明は、電子機器の電源スイッチとして使用されるスイッチ装置に係り、特にばねの反転動作を利用して接点の接離を行う速動式のスイッチ装置の構造に関する。
【０００２】
【従来の技術】
従来の速動式のスイッチ装置の構造としては、図１２乃至図１４に示すものがある。図１２はスイッチ装置のオフ時の縦断面図、図１３は同じくオン時の縦断面図、図１４は接点機構部の部分説明図である。
この従来のスイッチ装置は、合成樹脂などの絶縁材からなるケース２１と、このケース２１の内底部に配設され上面に固定接点２２ａを備えた固定端子２２と、この固定端子２２に隣接して同じく前記ケース２１の内底面に配設された央端子２３と、この中央端子２３に可動に支持され、一端部に前記固定端子２２と接離可能な可動接点２９を備えた導体板２８と、この導体板２８と前記中央端子２３とに係止され前記導体板２８を可動に支持する支持板２７と、前記導体板２８と前記中央端子２３との間に屈曲されて係止され、自身の屈伸動作により前記導体板２８を駆動する板ばね３０と、この板ばね３０の突起３０ａに当接して駆動させ、前記導体板２８を前記固定端子２２の方向、あるいは前記固定端子２２から離れる方向へ変位させるスライド部材３１とから主に構成されている。
【０００３】
導体の金属板などからなる前記中央端子２３は、前記支持板２７が係止される支持板係止用突起２３ａと、前記板ばね３１が係止される板ばね係止用突起２３ｂとが形成されている。また、前記支持板係止用突起２３ａと板ばね係止用突起２３ｂには、略対向した位置に係止用Ｖ溝２３ｃ、２３ｄが設けられており、この係止用Ｖ溝２３ｃ、２３ｄに前記支持板２７と板ばね３０の一端側がそれぞれ係止されるものとなっている。
【０００４】
前記支持板２７は、同じく導体の金属板からなり、中央に前記板ばね係止用突起２３ｂが遊嵌可能な開口部を備え、略Ｕ字状に形成され、その一端側が前記支持板係止用突部２３ａの係止用Ｖ溝２３ｃに係止され、他端側が前記導体板２８の前記可動接点２９の固着側近傍に係止されている。
【０００５】
前記導体板２８は、同じく導体の金属板からなり、中央に前記支持板係止用突起２３ａ及び板ばね係止用突起２３ｂとが遊嵌可能な開口部と、一端側に前記可動接点２９とを備えている。前記導体板２８は、開口部の内縁の一端側に前記支持板２７の一端側が係止され、開口部の他端側が前記板ばね３０に係止されて、前記中央端子２３に可動に取り付けられている。
【０００６】
前記板ばね３０は、ばね性を有する薄板状の金属板で略Ｖ字状に形成され、一端側は前記中央端子２３の板ばね係止用突起２３ｂの係止用Ｖ溝２３ｄに係止され、他端側は前記導体板２８の開口部内縁の、前記支持板２７が係止された一端側とは対向する他端側に係止されている。前記板ばね３０は、前記中央端子２３と前記導体板２８との間に屈曲されて配設されている。また、前記板ばね３０の略Ｖ字状の頂点部近傍には、前記スライド部材３１がスライド移動した場合に、前記導体板２８を駆動するための作動突起３０ａが形成されている。
【０００７】
上記のスイッチ装置の接点機構を組み立てる場合には、前記導体板２８を前記中央端子２３に遊嵌した状態で可動に取り付けるため、前記導体板２８の開口部内縁の一端側に前記支持板２７の一端側を係止させ、前記支持板２７の他端側を前記中央端子２３の支持板係止用突起２３ａに係止した状態で、前記導体板２８の開口内縁の他端側と前記中央端子２３の板ばね係止用突起２３ｂとの間に前記板ばね３０を屈曲させた状態で取り付ける必要があった。この時、前記板ばね３０は前記支持板２７を介して前記導体板２８と前記中央端子２３との間で弾発した状態で取り付けられるため、前記導体板２８と前記支持板２７と前記板ばね３０とが三者一体となって前記中央端子２３に可動に取り付けられるものとなっている。
【０００８】
上記スイッチ装置の動作を説明すると、前記スライド部材３１が押圧されることにより、スライド部材３１が押圧方向（図示右方向）へスライド移動して、このスライド部材３１で前記板ばね３０のＶ字状の頂点部近傍が押され、板ばね３０は前記中央端子２３の板ばね係止用突起２３ｂの係止用Ｖ溝２３ｄを支点として時計方向へ回動される。この時、前記導体板２８は前記支持板２７と共に、前記中央端子２３の支持板係止用突起２３ａの係止用Ｖ溝２３ｃを支点として図示下方向へ移動し、前記板ばね３０との係止部が前記支持板係止用突起２３ａの係止用Ｖ溝２３ｃ（板ばね３０の反転ポイント）を越えた時に、前記導体板２８は図示下方向へ自走して前記可動接点２９が前記固定接点２２ａと当接し回路がオン状態となる。この時、前記スライド部材３１は押し込み位置にロックされる。
【０００９】
この状態から、更に前記スライド部材３１押圧すると、ロックが外れて、前記スライド部材３１は復帰ばね２６の付勢力により押圧方向とは反対の方向（図示左方向）へ復帰する。この時、前記板ばね３０の作動突起３０ａが押され、板ばね３０は反時計方向へ回動され、板ばね３０の反転ポイントを超えた時に、前記導体板２８は図示上方向へ自走して前記可動接点２９が前記固定接点２２ａから離間して回路がオフ状態となる。
【００１０】
【発明が解決しようとする課題】
しかしながら、上述した従来の速動式のスイッチ装置の構造においては、接点機構である前記導体板２８と前記支持板２７と前記板ばね３０とがそれぞれ別部品で形成されていることから、前記中央端子２３にそれぞれ回動可能に連係させて取り付けるためには、組立が煩雑となり、組立の作業性が悪いという問題があった。
【００１１】
また、前記導体板２８と前記支持板２７と前記板ばね３０とをそれぞれの係止部で係止して三者一体の構成としていることから、接触ポイントが多く発生してしまい、このため接触抵抗が大きくなり、通電時の発熱による温度上昇を低減することが困難であるという問題があった。
【００１２】
したがって、本発明では上述した問題点を解決し、速動式のスイッチ装置の構造で、接点機構の組立が簡易で、組立の作業性が向上できると共に、接触抵抗を小さくして通電時の発熱による温度上昇を低減することができるスイッチ装置を提供することを目的とする。
【００１３】
【課題を解決するための手段】
上記課題を解決するために本発明では、第１の手段として、固定接点と、この固定接点と接離される可動接点を有する導体板と、この導体板を可動に支持する中央端子と、一端が前記導体板に係止され、他端が前記中央端子に係止された支持板と、前記導体板と前記中央端子との間に屈曲して配設され、前記支持板と協働して前記導体板を前記中央端子に可動に支持する板ばねと、前記導体板を前記板ばねのばね性によりスライド移動方向に対して略垂直な方向へ変位させて前記可動接点を前記固定接点に接離させるスライド部材とを備え、前記支持板は、ばね性を有する板材で撓み可能に形成され、この支持板の一端が前記導体板に固着されると共に、他端が前記中央端子に回動可能に係止され、この係止部を支点として前記導体板が変位可能となるように形成されたスイッチ装置であって、前記支持板が係止される前記中央端子に、係止突部を形成し、且つ、前記支持板には、前記係止突部に挿通される開口部と、この開口部に連設された屈曲片を形成し、前記開口部と屈曲片が前記係止突部に係止されることで前記支持板を前記中央端子に位置規制させ、前記導体板には、前記可動接点をかしめ固着すると共に、前記導体板の前記可動接点の取付部に、前記可動接点を固着することにより前記支持板の一端を前記導体板に固着するようにしたことを特徴とする。
【００１４】
また、第２の手段として、前記スライド部材に、傾斜面からなる作動面部を形成し、且つ、前記導体板には、前記作動面部と当接する当接部を形成し、前記スライド部材のスライド移動に伴って、前記作動面部が前記当接部に摺接し、前記導体板をスライド移動方向に対して略垂直な方向へ変位させるようにしたことを特徴とする。
【００１６】
また、第３の手段として、収納部を有し、この収納部の内底面に前記固定接点と前記中央端子が固着されたケースを備え、前記収納部の内底部に、前記固定接点と前記中央端子との間を隔離する隔壁を形成したことを特徴とする。
【００１７】
また、第４の手段として、前記隔壁には、前記導体板の幅方向への移動を規制する位置規制用の凹溝部を形成したことを特徴とする。
【００１９】
【発明の実施の形態】
以下、本発明のスイッチ装置の１実施例を図１乃至図１１に示す。図１はスイッチ装置のオフ時の縦断面図、図２は同じくスイッチ装置のオン時の縦断面図、図３は同じくカバーとスライド部材の一部を破断した状態の平面図、図４は図２の４−４線における断面図、図５は接点機構部の平面図、図６は同じく接点機構部の正面図、図７乃至図１１は接点機構部の動作状態を示す説明図で、図７は初期（オフ）状態の説明図、図８は導体板が自走する直前の状態を示す説明図、図９は導体板が自走して接点がオンした直後の状態を示す説明図、図１０はスライド部材がロックして接点がオンした状態を示す説明図、図１１はスライドのロックが解除され導体板が自走して接点がオフとなる直前の状態を示す説明図である。
【００２０】
図において、ケース１は、合成樹脂などの絶縁材で上面が開口された箱状に形成されている。このケース１の開口内には一対の収納部１ａが形成され、この収納部１ａの内底面には、上面に固定接点２ａを有する導体の金属板からなる固定端子２と、この固定端子２に隣接して同じく導体の金属板からなる中央端子３がそれぞれ配設されている。
【００２１】
前記収納部１ａには、前記固定端子２と前記中央端子３との間にお互いを隔離する隔壁１ｂが形成されており、また、この隔壁１ｂの中央には、後述する導体板８の横方向への移動を規制する位置決め用の凹溝部１ｃが設けられている。また、前記収納部１ａには後述するスライド部材１１が収納され、スライド移動可能に配設されている。また、前記ケース１の先端側には、回路基板などへ取り付けるための取付脚４ａを有する金属板からなるフレーム４が取り付けられており、後端側には、後述するカバー１２を取り付ける取付突部１ｄが形成されている。また、前記ケース１の先端側には、後述するスライド部材１１のロックカム１１ｅに一端側が係合してスライド部材１１を押し込み位置にロックする、ロックピン５の他端側を軸支する軸孔１ｅが設けられており、この軸孔１ｅの更に先端側には、後述するスライド部材１１を復帰位置に付勢する復帰ばね６の一端側が係止される復帰ばね係止部１ｆが延設されている。
【００２２】
前記中央端子３には、後述する支持板７を係止する支持板係止用突起３ａと、後述する板ばね１０を係止する板ばね係止用突起３ｂがそれぞれ立設されており、また、前記支持板係止用突起３ａと板ばね係止用突起３ｂには、略対向した位置に係止用溝３ｃ、３ｄが設けられており、この係止用溝３ｃ、３ｄに後述する支持板７と板ばね１０の一端側がそれぞれ係止されるものとなっている。また、前記支持板係止用突起３ａには、後述する支持板７を係止して位置規制する係止突部３ｅが設けられている。
【００２３】
支持板７は、導電性のばね性を有する板材で形成され撓み可能となっており、この支持板７の中央には、窓孔部７ａが設けられ、この窓孔部７ａに後述する板ばね１０の一端側が遊嵌されるものとなっている。また、この支持板７の一端側には、後述する導体板８に固着される可動接点９が挿通される挿通孔７ｂが設けられており、導体板８に可動接点９で一体的に固着されるものとなっている。また、他端側には、前記係止突部３ｅに挿通される開口部７ｃが設けられており、この開口部７ｃの側縁には連設して垂下された屈曲片７ｄが設けられている。この開口部７ｃと屈曲片７ｄが前記係止突部３ｂに係止されることで、前記支持片７が前記中央端子３に、図３において横方向及び縦方向に位置規制されて係止されるものとなっている。
【００２４】
導体板８は、同じく導体の金属板からなり、この導体板８の中央には、窓孔部８ａが設けられ、この窓孔部８ａに前記支持板７が遊嵌されている。また、この窓孔部８ａには、前記支持板係止用突起３ａや後述する板ばね１０なども遊嵌されるものとなっている。また、前記導体板８の一端側には、前記支持板７の一端側が可動接点９と共に固着されており、前記支持板７は自由端である他端側が撓み可能となっている。前記導体板８は、一端側に前記支持板７の一端側が固着され、他端側である前記窓孔部８ａ内縁の一端側が後述する板ばね１０の一端側に係止されて、前記中央端子３に可動に取り付けられたものとなっている。また、前記導体板８の、前記可動接点９が固着された側の上端面側には、後述するスライド部材１１の導体板収容部１１ｃ天井面に当接する突起部８ｂが設けられ、前記可動接点９が固着されたのとは反対側の上端面側には、後述するスライド部材１１の作動面部１１ｄと当接する当接部８ｃが設けられている。
【００２５】
板ばね１０は、ばね性を有する薄板状の金属板で略Ｕ字状に形成され、一端側は前記中央端子３の板ばね係止用突起３ｂの係止用溝３ｄに係止され、他端側は前記導体板８の前記窓孔部８ａ内縁の、前記支持板７が固着された一端側とは対向する他端側に係止されている。前記板ばね１０は、前記中央端子３と前記導体板７との間に屈曲されて配設されており、前記導体板７は前記板ばね１０の付勢力によって前記固定接点２ａの配設位置（前記収納部１ａの内底面側）とは反対の方向へ付勢されたものとなっている。
【００２６】
スライド部材１１は、合成樹脂などの絶縁材から形成されており、前記ケース１の収納部１ａに配設される基部１１ａと、この基部１１ａの先端に延設された操作部１１ｂとを備えている。前記基部１１ａには、前記導体板８や支持板７等を収容する導体板収容部１１ｃが設けられ、この導体板収容部１１ｃの後端側には、前記導体板８の当接部８ｃと摺接して前記導体板８をスライド移動方向に対して略垂直な方向へ変位させる、傾斜面からなる作動面部１１ｄが形成されている。また、前記導体板収容部１１ｃの先端側には、前記したロックピン５が摺接されて、前記スライド部材１１を押し込み位置にロックするロックカム１１ｅが形成されている。また、前記操作部１１ｂには、前記スライド部材１１を復帰位置に付勢する前記復帰ばね６を収納する復帰ばね収納部１１ｆが設けられている。
【００２７】
カバー１２は、合成樹脂などの絶縁材で方形状に形成され、前記ケース１の後端側の前記取付突部１ｄと係止されるフック部１２ａと、前記ケース１の先端側に取り付けられた前記フレーム４とによって、前記ケース１の開口された前記収納部１ａを覆うように取り付けられている。
【００２８】
前述したスイッチ装置の接点機構を組み立てる場合には、前記ケース１の内底面に配設されている前記中央端子３に前記導体板８を取り付けることとなるが、この場合、前記導体板８に前記可動接点９を固着する時に、前記支持板７の一端側をこの導体板８と一体的に固着するようにしてあるため、前記導体板８と支持板７が一体部品になっており、また、前記中央端子３の前記支持板係止用突起３ａには前記係止突部３ｅが設けてあり、前記支持板７の自由端側の他端側には、前記係止突部３ｅに係止する前記開口部７ｃと屈曲部７ｄが設けてあることから、前記導体板８を前記支持板７の前記開口部７ｃと屈曲片７ｄに合わせて前記中央端子３の支持板係止用突起３ａに組み込むだけで容易に前記中央端子３に前記導体板８を組み込むことができる。この時、前記支持板７は前記開口部７ｃと屈曲片７ｄとで前記支持板係止用突起３ａの係止突部３ｅに係止され、位置決めされるものとなる。
【００２９】
また、前記ケース１の内底部には、前記固定端子２と中央端子３とを隔離する前記隔壁１ｂが設けられており、この隔壁１ｂの中央には、前記導体板８の横方向への移動を規制する位置決め用の前記凹溝部１ｃが設けられていることから、前記導体板８は確実に前記中央端子３上に位置決めされるものとなっている。
【００３０】
この状態から、前記導体板８の窓孔部８ａと前記支持板７の窓孔部７ａに遊嵌させた状態で、前記導体板８の一端側と前記中央端子３の前記板ばね係止用突起３ｂとの間に前記板ばね１０を屈曲させて係止させて接点機構部の組立は終了する。
この時、前記導体板８は前記板ばね１０の付勢力で前記収納部１ａの前記固定端子２が配設された方向とは反対の方向へ付勢された状態となり、前記可動接点９が固着された側の上端面の前記突起部８ｂが、前記スライド部材１１の導体板収容部１１ｃ天井面に当接し、他端側の前記当接部８ｃが前記作動面部１１ｄに当接することで、前記導体板８は可動接点９と固定接点２ａが一定の間隔を保持した状態で前記収納部１ａ内に略平行に配設された状態となっている。
【００３１】
次に、上述したスイッチ装置の動作を図７乃至図１１で説明する。
図７に示すように、初期の状態では前記導体板８は前記可動接点９が前記固定接点２ａと一定の間隔をおいて離間された状態で接点がオフ状態となっている。この状態では、前記導体板８は前記板ばね１０の付勢力で前記固定端子２及び固定接点２ａとは反対の方向（上側）へ付勢された状態となっている。
【００３２】
この状態から前記スライド部材１１の操作部１１ｂが前記復帰ばね６の付勢力に抗して押し込まれると、図８に示すように、前記スライド部材１１の作動面部１１ｄが前記導体板８の当接部８ｃを押圧し、前記導体板８の当接部８ｃ側を前記板ばね１０の付勢力に抗して前記収納部１ａの内底面側へ押し下げる。
この時、図９に示すにように、前記板ばね１０と導体板８との係止部が、前記支持板７と中央端子３の係止部（前記支持板係止用突起３ａの係止用溝３ｃ）と重なった時を境にして前記板ばね１０の付勢力の方向が下側へと反転し、前記導体板８は前記収納部１ａの内底面側に自走して前記可動接点９が前記固定接点２ａと当接して接点がオン状態となる。
【００３３】
この状態から前記スライド部材１１を更に押し込むことにより、図１０に示すように、前記導体板８の当接部８ｃが、前記スライド部材１１の作動面部１１ｄにより更に下側に押し下げられるものとなり、前記板ばね１０の付勢力によって前記可動接点９は前記固定接点２ａ方向へ押圧されることで接触が確実に行われるものとなっている。この時、前記スライド部材１１は、前記ロックピン５とロックカム１１ｅの協働により押し込み位置へロックされるものとなる。
【００３４】
この状態から、ロックを解除する場合には、前記スライド部材１１の操作部１１ｂを更に押圧してやると、前記ロックピン５が前記ロックカム１１ｅから外れて、前記スライド部材１１は前記復帰ばね６の付勢力で初期位置へ復帰するものとなる。この時、図１１に示すように、前記導体板８と板ばね１０との係止部が、前記支持板７と前記中央端子３との係止部（前記支持板係止用突起３ａの係止用溝３ｃ）を越えると前記板ばね１０の付勢力の方向が上側へと反転し、前記導体板８は前記収納部１ａの内底面とは反対側に自走して前記可動接点９が前記固定接点２ａと離間して接点がオフ状態となり、図７に示す初期状態へと復帰する。
【００３５】
上記した本発明の実施例によれば、前記導体板８を可動に支持する前記中央端子３と、一端が前記導体板８に係止され、他端が前記中央端子３に係止された支持板７と、前記導体板８と前記中央端子３との間に屈曲して配設され、前記支持板７と協働して前記導体板８を前記中央端子３に可動に支持する板ばね１０とからなる接点機構部を、前記支持板７は、ばね性を有する板材で撓み可能に形成し、この支持板７の一端側を前記導体板８に可動接点９で一緒に固着すると共に、他端側を前記中央端子３に回動可能に係止して、この係止部を支点として前記導体板８が変位可能となるように形成したことから、接点機構部の部品構成が簡易となり、組立が煩雑とならずに作業性が向上できるものとなっている。
【００３６】
また、前記導体板８と前記支持板７とを前記可動接点９で一緒に固着してあることから、接触ポイントを少なくでき、このため接触抵抗を小さくすることができ、通電時の発熱による温度上昇を低減することが可能となっている。
【００３７】
また、前記中央端子３に係止突部３ｅを形成し、前記支持板７には、前記係止突部３ｅに挿通される開口部７ｃと、この開口部７ｃに連設された屈曲片７ｄを形成し、前記開口部７ｃと屈曲片７ｄとで前記支持板７を前記中央端子３に位置規制させるようにすると共に、前記収納部１ａの内底部に形成した前記隔壁１ｂに前記導体板８の幅方向への移動を規制する凹溝部１ｃを設けたことから、前記支持板７及び導体板８を前記中央端子３の上方から組み込むだけで、容易に位置合わせが可能となっている。
【００３８】
また、前記収納部１ａの内底部に、前記固定接点２ａと前記中央端子３との間を隔離する前記隔壁１ｂを形成したことから、スイッチ操作時に発生するアークによる中央端子側のケース側壁への付着物の影響を少なくできることから、絶縁性を向上させ、品質の安定が図れる。
【００３９】
尚、上述した実施例では、前記支持板７の一端側を前記導体板８に固着する位置を、前記可動接点９の固着側と同一側としたが、これとは反対側に固着しても良く、この場合、前記板ばね１０と前記導体板８との係止位置はこれとは反対に前記可動接点９の固着側となる。この場合にも、上述した構成と同様の効果が得られるのはもちろんである。尚、前記支持板７と導体板８を可動接点９と一緒に固着した場合には、さらに組立を簡易にすることができるものとなる。
【００４０】
【発明の効果】
以上説明したように、本発明のスイッチ装置の構造は、導体板を可動に支持する中央端子と、一端が導体板に係止され、他端が中央端子に係止された支持板と、導体板と中央端子との間に屈曲して配設され、支持板と協働して導体板を中央端子に可動に支持する板ばねとからなる接点機構部を、支持板は、ばね性を有する板材で撓み可能に形成し、この支持板の一端側を導体板に可動接点で一緒に固着すると共に、他端側を中央端子に回動可能に係止して、この係止部を支点として導体板が変位可能となるように形成したことから、接点機構部の部品構成が簡易となり、組立が煩雑とならずに作業性が向上できる。
【００４１】
また、スライド部材に、傾斜面からなる作動面部を形成し、且つ、導体板には、作動面部と当接する当接部を形成し、スライド部材のスライド移動に伴って、作動面部が当接部に摺接し、導体板をスライド移動方向に対して略垂直な方向へ変位させるようにしたことから、スイッチ装置の小型化、薄型化が図れる。
【００４２】
また、支持板が係止される中央端子に、係止突部を形成し、且つ、支持板には、係止突部に挿通される開口部と、この開口部に連設された屈曲片を形成し、開口部と屈曲片が係止突部に係止されることで支持板を中央端子に位置規制させたことから、支持板を中央端子の上方から組み込むだけで、容易に位置合わせが可能となり、組立作業性が向上する。
【００４３】
また、収納部を有し、この収納部の内底面に固定接点と中央端子が固着されたケースを備え、収納部の内底部に、固定接点と中央端子との間を隔離する隔壁を形成したことから、スイッチ操作時に発生するアークによる中央端子側のケース側壁への付着物の影響を少なくでき、絶縁性を向上させ、品質の安定が図れる。
【００４４】
また、隔壁には、導体板の幅方向への移動を規制する位置規制用の凹溝部を形成したことから、導体板を中央端子の上方から組み込むだけで、容易に位置合わせが可能となり、組立作業性が向上する。
【００４５】
また、導体板には、可動接点をかしめ固着すると共に、導体板の可動接点の取付部に、可動接点を固着することにより支持板の一端を導体板に固着するようにしたことから、さらに組立を簡易にすることができる。
【図面の簡単な説明】
【図１】本発明の１実施例であるスイッチ装置のオフ時を示す縦断面図である。
【図２】本発明の同じくスイッチ装置のオン時を示す縦断面図である。
【図３】本発明の同じくカバーとスライド部材の一部を破断した状態を示す平面図である。
【図４】本発明の図２の４−４線における断面図である。
【図５】本発明の接点機構部を示す平面図である。
【図６】本発明の同じく接点機構部を示す正面図である。
【図７】本発明の接点機構部の初期（オフ）状態を示す説明図である。
【図８】本発明の導体板が自走する直前の状態を示す説明図である。
【図９】本発明の導体板が自走して接点がオンした直後の状態を示す説明図である。
【図１０】本発明のスライド部材がロックして接点がオンした状態を示す説明図である。
【図１１】本発明のスライドのロックが解除され導体板が自走して接点がオフとなる直前の状態を示す説明図である。
【図１２】従来のスイッチ装置のオフ時を示す縦断面図である。
【図１３】従来の同じくスイッチ装置のオン時を示す縦断面図である。
【図１４】従来の接点機構部を示す部分説明図である。
【符号の説明】
１  ケース
１ａ  収納部
１ｂ  隔壁
１ｃ  凹溝部
１ｄ  取付突部
１ｅ  軸孔
１ｆ  復帰ばね係止部
２  固定端子
２ａ  固定接点
３  中央端子
３ａ  支持板係止用突起
３ｂ  板ばね係止用突起
３ｃ，３ｄ  係止用溝（係止部）
３ｅ  係止突部
４  フレーム
４ａ  取付脚
５  ロックピン
６  復帰ばね
７  支持板
７ａ  窓孔部
７ｂ  挿通孔
７ｃ  開口部
７ｄ  屈曲片
８  導体板
８ａ  窓孔部
８ｂ  突起部
８ｃ  当接部
９  可動接点
１０  板ばね
１１  スライド部材
１１ａ  基部
１１ｂ  操作部
１１ｃ  導体板収納部
１１ｄ  作動面部
１１ｅ  ロックカム
１１ｆ  復帰ばね収納部
１２  カバー
１２ａ  フック部
【図１】
0003878392.tif 000002
【図２】
0003878392.tif 000003
【図３】
0003878392.tif 000004
【図４】
0003878392.tif 000005
【図５】
0003878392.tif 000006
【図６】
0003878392.tif 000007
【図７】
0003878392.tif 000008
【図８】
0003878392.tif 000009
【図９】
0003878392.tif 000010
【図１０】
0003878392.tif 000011
【図１１】
0003878392.tif 000012
【図１２】
0003878392.tif 000013
【図１３】
0003878392.tif 000014
【図１４】
0003878392.tif 000015